【手続補正書】
【提出日】平成19年5月15日(2007.5.15)
【手続補正１】
【補正対象書類名】明細書
【補正対象項目名】特許請求の範囲
【補正方法】変更
【補正の内容】
【特許請求の範囲】
【請求項１】  親と乳幼児の一致及びセキュリティシステムであって、
新生児に固定された第１の送信機であって、前記第１の送信機が第１の放射エネルギー送信機及び第２の放射エネルギー送信機を含み、前記第１の放射エネルギー送信機及び前記第２の放射エネルギー送信機の各々が乳幼児識別信号を送信するために動作することができる前記第１の送信機、
前記新生児の親に固定するように適応された第２の送信機であって、前記第２の送信機が少なくとも１つの放射エネルギー送信機を含み、前記少なくとも１つの放射エネルギー送信機が親識別信号を送信するために動作することができる前記第２の送信機、及び、
少なくとも病院の産科病棟の内部に分布する複数の受信機であって、前記複数の受信機の少なくとも１つが前記乳幼児識別信号及び前記親識別信号を受信するために動作することができ、前記複数の受信機の少なくとも１つがさらに前記乳幼児識別信号及び前記親識別信号から前記新生児が親と正しく一致されたことを決定するために動作することができる受信機を備え、
前記産科病棟の内部の前記乳幼児の連続的な存在を決定するために、前記複数の受信機が前記病院の内部に配置されることを特徴とするシステム。
【請求項２】  前記複数の各受信機が制御装置と結合されることを特徴とする、請求項１に記載の親と乳幼児の一致及びセキュリティシステム。
【請求項３】  前記複数の各受信機が警告信号ジェネレータと結合し、前記警告信号ジェネレータが警告条件の検出に応答して警告信号を発生するために動作することができることを特徴とする、請求項１に記載の親と乳幼児の一致及びセキュリティシステム。
【請求項４】  前記乳幼児識別信号が符号化されたデータ信号であることを特徴とする、請求項１に記載の親と乳幼児の一致及びセキュリティシステム。
【請求項５】  前記第１の放射エネルギー送信機が第１の変調を用いて前記乳幼児識別信号を送信するために動作することができ、前記第２の放射エネルギー送信機が第２の変調を用いて前記乳幼児識別信号を送信するために動作することができることを特徴とする、請求項１に記載の親と乳幼児の一致及びセキュリティシステム。
【請求項６】  前記第１の放射エネルギー送信機及び前記第２の放射エネルギー送信機の各々が、高周波送信機及び赤外線送信機の１つを備えることを特徴とする、請求項１に記載の親と乳幼児の一致及びセキュリティシステム。
【請求項７】  前記少なくとも１つの放射エネルギー送信機が赤外線送信機を備えることを特徴とする、請求項１に記載の親と乳幼児の一致及びセキュリティシステム。
【請求項８】  前記第２の送信機が少なくとも第２の放射エネルギー送信機を備えることを特徴とする、請求項１に記載の親と乳幼児の一致及びセキュリティシステム。
【請求項９】  少なくとも第２の放射エネルギー送信機が高周波送信機及び赤外線送信機の１つを備えることを特徴とする、請求項８に記載の親と乳幼児の一致及びセキュリティシステム。
【請求項１０】  前記複数の各受信機が病院内のセキュリティシステムに結合されることを特徴とする、請求項１に記載の親と乳幼児の一致及びセキュリティシステム。
【請求項１１】  前記複数の各受信機がサーバに結合されることを特徴とする、請求項１に記載の親と乳幼児の一致及びセキュリティシステム。
【請求項１２】  前記サーバがデータ構造を含むデータベースから成り、前記データ構造が前記乳幼児識別信号の内部に含まれる乳幼児識別データ及び前記親識別信号内部に含まれる親識別データを受信して保持するようにアレンジされることを特徴とする、請求項１１に記載の親と乳幼児の一致及びセキュリティシステム。
【請求項１３】  前記サーバがディスプレイを含み、前記ディスプレイが前記サーバと結合されて前記乳幼児識別データ及び 前記親識別データをグラフィカルに表示するために動作することができることを特徴とする、請求項１２に記載の親と乳幼児の一致及びセキュリティシステム。
【請求項１４】  前記乳幼児識別信号が乳幼児識別データから成ることを特徴とする、請求項１に記載の親と乳幼児の一致及びセキュリティシステム。
【請求項１５】  前記親識別信号が親識別データから成ることを特徴とする、請求項１に記載の親と乳幼児の一致及びセキュリティシステム。
【請求項１６】  前記複数の各受信機が乳幼児／親一致インジケータを含むことを特徴とする、請求項１に記載の親と乳幼児の一致及びセキュリティシステム。
【請求項１７】  前記第１の送信機がハウジング内部に保持され、前記ハウジングが前記ハウジングを前記乳幼児に固定するための調節可能なストラップを含むことを特徴とする、請求項１に記載の親と乳幼児の一致及びセキュリティシステム。
【請求項１８】  前記ハウジングが前記ストラップ部分から分離可能であって再利用可能であることを特徴とする、請求項１７に記載の親と乳幼児の一致及びセキュリティシステム。
【請求項１９】  前記ハウジングが汚染物質の侵入を防いで外側部分の清掃を可能にするようにシールされることを特徴とする、請求項１８に記載の親と乳幼児の一致及びセキュリティシステム。
【請求項２０】  前記第１の送信機が運動検出器を含み、前記第１及び第２の放射送信機が前記乳幼児識別信号を送信するために運動検出器からの信号に応答することを特徴とする、請求項１に記載の親と乳幼児の一致及びセキュリティシステム。
【請求項２１】  前記第２の送信機がハウジング内部に保持され、前記ハウジングが前記ハウジングを前記乳幼児に固定するための調節可能なストラップを含むことを特徴とする、請求項１に記載の親と乳幼児の一致及びセキュリティシステム。
【請求項２２】  前記複数の各受信機がネットワークに結合されることを特徴とする、請求項１に記載の親と乳幼児の一致及びセキュリティシステム。
【請求項２３】  前記ネットワークがエシュロンネットワークを備えることを特徴とする、請求項２２に記載の親と乳幼児の一致及びセキュリティシステム。
【請求項２４】  前記ネットワークがアプリケーションインターフェースを含むことを特徴とする、請求項２２に記載の親と乳幼児の一致及びセキュリティシステム。
【請求項２５】  前記ネットワークが病院内のセキュリティシステムに結合されることを特徴とする、請求項２２に記載の親と乳幼児の一致及びセキュリティシステム。
【請求項２６】  前記複数の各受信機がインターネットプロトコル（ＩＰ）アドレス指定可能であることを特徴とする、請求項１に記載の親と乳幼児の一致及びセキュリティシステム。
【請求項２７】  前記システムが少なくとも第１のモードの動作及び第２のモードの動作を有し、前記第１のモードの動作では少なくとも前記複数の受信機の第１の受信機が乳幼児及び親の一致を決定するために前記乳幼児識別信号及び前記親識別信号の各々を検波し、第２のモードの動作では前記複数の受信機の第２の受信機が前記乳幼児の安全を決定するために前記乳幼児識別信号を検波することを特徴とする、請求項１に記載の親と乳幼児の一致及びセキュリティシステム。
【請求項２８】  前記複数の受信機の少なくとも第１の受信機が赤外線放射エネルギー送信を受信することを特徴とする、請求項２７に記載の親と乳幼児の一致及びセキュリティシステム。
【請求項２９】  前記複数の受信機の第２の受信機が高周波放射エネルギー送信を受信することを特徴とする、請求項２７に記載の親と乳幼児の一致及びセキュリティシステム。
【請求項３０】  前記複数の受信機の少なくとも第１の受信機がインジケータを含み、前記インジケータが乳幼児識別データ及び親識別データを一致する前記第１の受信機で検出するとすぐに指示を提供するように動作できることを特徴とする、請求項２７に記載の親と乳幼児の一致及びセキュリティシステム。
【請求項３１】  前記インジケータが少なくとも前記複数の受信機の第１の受信機により送信される肯定応答信号を含み、前記乳幼児バッジ及び前記親バッジの少なくとも１つが前記肯定応答信号を受信するための受信機を含むことを特徴とする、請求項３０に記載の親と乳幼児の一致及びセキュリティシステム。
【請求項３２】  前記乳幼児バッジ及び前記親バッジの少なくとも１つが前記乳幼児識別信号及び前記親識別信号の送信を修正するために各々動作することができ、前記肯定応答信号の受信に応答できることを特徴とする、請求項３１に記載の親と乳幼児の一致及びセキュリティシステム。
【請求項３３】  少なくとも前記複数の受信機の第１の受信機がサーバに結合され、前記第１の受信機が乳幼児識別データ及び親識別データを一致する前記第１の受信機で検波したらすぐに信号を前記サーバに提供することを特徴とする、請求項２７に記載の親と乳幼児の一致及びセキュリティシステム。
【請求項３４】  前記複数の受信機の第２の受信機が病院内のセキュリティシステムに結合され、前記第２の受信機が前記病院の固定された境域なしに乳幼児識別データを検波するとすぐ信号を前記セキュリティシステムに提供することを特徴とする、請求項２７に記載の親と乳幼児の一致及びセキュリティシステム。
【請求項３５】  デュアルモードバッジであって、
ハウジング、
前記ハウジングに固定された調節可能なストラップ、
ストラップ結合であって、前記ストラップを前記ハウジングに固定するために前記ストラップ結合が前記ストラップとかみ合い、前記ストラップを送信機に固定するとすぐに前記送信機を起動するように機能的に結合し、前記ハウジングが前記ストラップから分離可能であって再利用可能である前記ストラップ結合、及び、
前記ハウジングの内部に配置されたデュアルモード送信機であって、第１の放射エネルギー送信を使用して信号を送信し、及び第２の放射エネルギー送信を使用して前記信号を送信するために動作することができる前記デュアルモード送信機を備え、
前記第１及び第２の放射エネルギー送信が高周波送信及び赤外線送信の何れか１つを備え、
前記信号が符号化された識別データを備えることを特徴とするデュアルモードバッジ。
【請求項３６】  前記第１の放射エネルギー送信が第１の変調から成り、前記第２の放射エネルギー送信が第２の変調から成ることを特徴とする、請求項３５に記載のデュアルモードバッジ。
【請求項３７】  前記第１の放射エネルギー送信及び前記第２の放射エネルギー送信が連続して送信されることを特徴とする、請求項３５に記載のデュアルモードバッジ。
【請求項３８】  前記第１の放射エネルギー送信が第１のヘッダ部分を含み、前記第２の放射エネルギー送信が第２のヘッダ部分を含むことを特徴とする、請求項３５に記載のデュアルモードバッジ。
【請求項３９】  運動検出器を更に含み、前記デュアルモード送信機が前記運動検出器からの信号に応答して前記信号を送信するように動作することができることを特徴とする、請求項３５に記載のデュアルモードバッジ。
【請求項４０】  前記ストラップが前記ハウジングの上部に形成されたストラップ結合を通して固定されることを特徴とする、請求項３５に記載のデュアルモードバッジ。
【請求項４１】  前記ストラップ結合が前記ハウジングから分離可能であり、前記ハウジングが再使用可能であることを特徴とする、請求項４０に記載のデュアルモードバッジ。
【請求項４２】  前記ハウジングが環境上シールされて清掃可能であることを特徴とする、請求項３５に記載のデュアルモードバッジ。
【請求項４３】  エンティティ一致システムであって、
第１のエンティティを固定するように適応された第１の送信機であって、前記第１の送信機が第１の放射エネルギー送信機及び第２の放射エネルギー送信機を含み、前記第１の放射エネルギー送信機及び前記第２の放射エネルギー送信機の各々が高周波送信機又は赤外線送信機の何れか１つから成り、前記第１の放射エネルギー送信機及び前記第２の放射エネルギー送信機の各々が第１の識別信号を送信するために動作可能である第１の送信機、
前記第１のエンティティと一致するように第２のエンティティを固定するように適応された第２の送信機であって、前記第２の送信機が少なくとも１つの放射エネルギー送信機を含み、前記少なくとも１つの放射エネルギー送信機が第２の識別信号を送信するために動作可能である第２の送信機、及び
少なくとも一致領域の内部に分布した複数の受信機であって、前記複数の各受信機が前記第１の識別信号及び前記第２の識別信号を受信するために動作可能であり、前記複数の受信機が更に前記第１の識別信号及び前記第２の識別信号から前記第１のエンティティが前記第２のエンティティと正しく一致することを決定するために動作可能である複数の受信機を備えるシステム。
【請求項４４】  前記複数の各受信機が制御装置に結合されることを特徴とする、請求項４３に記載のエンティティ一致システム。
【請求項４５】  前記複数の受信機が前記一致領域内部の少なくとも前記第１のエンティティの連続的な存在を検出するために前記一致領域の内部に配置されることを特徴とする、請求項４３に記載のエンティティ一致システム。
【請求項４６】  前記複数の各受信機が警告信号ジェネレータに結合され、前記警告信号ジェネレータが警告条件の検出に応答して警告信号を発生するように動作可能であることを特徴とする、請求項４３に記載のエンティティ一致システム。
【請求項４７】  前記第１の識別信号が符号化されたデータ信号であることを特徴とする、請求項４３に記載のエンティティ一致システム。
【請求項４８】  前記第１の送信機が運動検出器を含み、前記第１及び第２の放射エネルギー送信機が前記第１の識別信号を送信するために前記運動検出器からの信号に応答することを特徴とする、請求項４３に記載のエンティティ一致システム。
【請求項４９】  前記複数の各受信機がネットワークに結合されることを特徴とする、請求項４３に記載のエンティティ一致システム。
【請求項５０】  前記ネットワークがエシュロンネットワークを備えることを特徴とする、請求項４９に記載のエンティティ一致システム。
【請求項５１】  前記複数の各受信機がインターネットプロトコル（ＩＰ）アドレス指定可能であることを特徴とする、請求項４３に記載のエンティティ一致システム。
【請求項５２】  少なくとも前記複数の受信機の第１の受信機が赤外線放射エネルギー送信を受信し、前記複数の受信機の第２の受信機が高周波放射エネルギー送信を受信することを特徴とする、請求項４３に記載のエンティティ一致システム。
【請求項５３】  前記第１の送信機及び前記第２の送信機の少なくとも１つが更に受信機を含み、前記複数の受信機の少なくとも１つが送信機を含み、前記複数の受信機の少なくとも１つが前記第１及び第２の識別信号の１つの受信に応答して肯定応答信号を送信するように動作可能であることを特徴とする、請求項４３に記載のエンティティ一致システム。
【請求項５４】  前記第１及び第２の識別信号の１つが、前記肯定応答信号の受信に応答して前記第１及び第２の識別信号の送信を各々修正するように動作可能であることを特徴とする、請求項５３に記載のエンティティ一致システム。
【請求項５５】  前記第１の送信機が肯定応答信号を受信するために動作することができる第１の放射エネルギー受信機を含み、前記複数の受信機の少なくとも１つが送信機を含み、前記複数の受信機の少なくとも１つが前記第１の識別信号の受信に応答して前記肯定応答信号を送信するように適応されることを特徴とする、請求項４３に記載のエンティティ一致システム。
【請求項５６】  前記肯定応答信号を受信しなければ、前記第１の放射エネルギー送信機及び第２の放射エネルギー送信機の各々が前記第１の識別信号を送信するために動作することができることを特徴とする、請求項５５に記載のエンティティ一致システム。
【請求項５７】  前記肯定応答信号の受信に応答して、前記第１の放射エネルギー送信機が前記第１の識別信号を送信するために動作することができ、前記第２の放射エネルギー送信機が停止されることを特徴とする、請求項５５に記載のエンティティ一致システム。